(57)【特許請求の範囲】
【請求項１】
複数の用紙が載置される用紙載置部と、
前記用紙載置部に載置された用紙を１枚ずつ送り出す給紙機構と、
電力の供給を受けることにより乾燥を行う乾燥部と、
湿度により収縮と膨張の度合いが異なる部材を組み合わせて湿度に応じて形状が変わる湿度変化部と、前記湿度変化部に設けられた第１接点と、湿度が予め定められた湿度を超えると前記第１接点と接するように設けられた第２接点を含み、前記第１接点と前記第２接点が非接触のとき前記乾燥部と電源を接続せず、前記第１接点と前記第２接点が接触しているとき前記乾燥部と電源を接続して乾燥を行わせるスイッチ部と、を含み、
前記湿度変化部は湿度により収縮と膨張の程度が異なる部材を貼り合わせたものをゼンマイ状に巻いたものであり、
前記第１接点は湿度変化に応じて前記湿度変化部の周方向で移動することを特徴とする給紙装置。
【請求項２】
複数の用紙が載置される用紙載置部と、
前記用紙載置部に載置された用紙を１枚ずつ送り出す給紙機構と、
電力の供給を受けることにより乾燥を行う乾燥部と、
湿度により収縮と膨張の度合いが異なる部材を組み合わせて湿度に応じて形状が変わる湿度変化部と、前記湿度変化部に設けられた第１接点と、湿度が予め定められた湿度を超えると前記第１接点と接するように設けられた第２接点を含み、前記第１接点と前記第２接点が非接触のとき前記乾燥部と電源を接続せず、前記第１接点と前記第２接点が接触しているとき前記乾燥部と電源を接続して乾燥を行わせるスイッチ部と、を含み、
前記予め定められた湿度よりも湿度が高くなるに従い、前記第２接点は前記第１接点が前記第２接点を押す力に応じて基準位置から移動し、
前記第２接点を前記基準位置に戻す方向に付勢する付勢部材を含むことを特徴とする給紙装置。
【請求項３】
前記湿度変化部は湿度により収縮と膨張の程度が異なる部材を貼り合わせたものをゼンマイ状に巻いたものであり、
前記第１接点は湿度変化に応じて前記湿度変化部の周方向で移動することを特徴とする請求項２に記載の給紙装置。
【請求項４】
電源と前記乾燥部間に設けられ、前記乾燥部へ電力供給を停止する状態で保つか否かを切り替えるための操作スイッチを含むことを特徴とする請求項１乃至３のいずれか１項に記載の給紙装置。
【請求項５】
請求項１乃至４のいずれか１項に記載の給紙装置を含むことを特徴とする画像形成装置。
【請求項６】
トナー像を形成する画像形成部を含み、
前記画像形成部に前記乾燥部と前記スイッチ部が設けられることを特徴とする請求項５に記載の画像形成装置。
【請求項７】
原稿を読み取るために光源と、原稿の反射光を導く光学部材と、原稿の反射光が入射されるイメージセンサーを含む画像読取部を有し、
前記画像読取部の内部に前記乾燥部と前記スイッチ部が設けられることを特徴とする請求項５又は６に記載の画像形成装置。
【発明の詳細な説明】
【技術分野】
【０００１】
本発明は給紙装置内の用紙の乾燥を行う給紙装置に関する。又、給紙装置を含む画像形成装置に関する。
【背景技術】
【０００２】
一般に、画像形成装置（例えば、プリンタ、複写機、複合機、ＦＡＸ装置等）は給紙装置を含む。給紙装置は印刷に用いる用紙を複数枚収容する。そして、印刷のとき、給紙装置は１枚ずつ用紙を送り出す。ここで、用紙に含まれる水分量が多いと、用紙の抵抗値が低下する。用紙の抵抗値が低下すると、トナー像の用紙への転写効率の低下により印刷物の濃度が下がり、画像品質の低下が生ずる。又、用紙に含まれる水分量が多いと、用紙のカールが生じやすくなり、用紙のジャム（詰まり）が生じやすくなる。又、用紙に含まれる水分量が多いと、用紙同士が吸着して用紙の重送（複数枚の用紙の同時搬送）が生じやすくなることもある。このように、用紙の水分量が多いことに起因して問題が生ずることがある。そこで、給紙装置内の用紙の除湿を行うことがある。
【０００３】
このような用紙等の乾燥を行う乾燥装置の一例が特許文献１に記載されている。具体的に、特許文献１には、画像形成部の所定部を加熱して除湿又は結露防止のために保温する加熱保温手段（給紙部６１のヒーター等）と、商用電源部から加熱保温手段への電力の供給と遮断を切り換える切換手段と、温度又は湿度等の環境情報を検出する環境検出手段と、検出された環境情報と予め設定された比較情報とを比較する比較手段と、画像形成部による画像形成可能なモード時に、切換手段に対して商用電源部から加熱保温手段への電力供給を遮断させ、省エネルギーモード時に、比較手段による比較結果に基づいて切換手段に対して商用電源部から加熱保温手段へ電力を供給又は遮断させるように制御する制御手段と、を設けた画像形成装置が記載されている。この構成により、省エネルギーモードあるいは省エネルギー制御機能が有効なときにも加熱保温手段に通電可能とし、電源投入後の通常モードの際には加熱保温手段への電力供給を遮断し全体として消費電力の軽減を図ろうとする（特許文献１：請求項４、段落［０００８］、［００２６］等参照）。
【先行技術文献】
【特許文献】
【０００４】
【特許文献１】特開２００３−０８４６２９号公報
【発明の概要】
【発明が解決しようとする課題】
【０００５】
まず、給紙装置（画像形成装置）の内外の湿度は画像形成装置の電源が入れられているか否か、及び、通常モードであるか省電力モードであるかを問わず変化する。そのため、画質、ジャム発生の防止、重送発生の防止等の観点から見れば、画像形成装置の状態を問わず、用紙の水分量（給紙装置内の湿度）が一定以下で保たれるように、給紙装置内の用紙の乾燥を行う乾燥部（例えば、ヒーター）を動作させるべきであるという問題がある。
【０００６】
ここで、いずれの画像形成装置や給紙装置でも、ＣＰＵやマイコンやチップ等の制御回路を用いて、乾燥部の駆動のＯＮ／ＯＦＦ（乾燥部への電力供給のＯＮ／ＯＦＦ）の制御がなされる。例えば、給紙装置や画像形成装置の内部や外部の温度や湿度を検知する１又は複数のセンサーが設けられる。そして、各センサーの出力が制御回路に入力される。続いて、制御回路は除湿の必要性を判断する。必要があると判断すると、制御回路は乾燥部に電力供給を行い、給紙装置内の用紙の乾燥を行わせる。言い換えると、乾燥部への電力供給（駆動）のＯＮ／ＯＦＦは制御回路を用いて行うことが一般的である。
【０００７】
しかし、制御回路やセンサーの設置や、制御回路に対する信号線の配線が必要となり、給紙装置や画像形成装置の部品点数が増加し製造コストが高くなるという問題がある。
【０００８】
又、画像形成装置は夜間などの主電源が落とされた状態や、画像形成装置での消費電力を極力落としたい省電力状態（省電力モード、スリープモード）となることがある。主電源ＯＦＦ状態や省電力状態で、ＣＰＵ等の制御回路を用いた制御を行うには、主電源ＯＦＦ状態や省電力状態でも制御回路やセンサーに電力を供給し、制御回路を動作させ、制御回路に除湿の必要性を判断させる必要がある。しかし、制御回路を動作させると一定の電力が消費される。又、無駄な乾燥部への電力供給を回避するには、給紙装置内の湿度を確認するため、制御回路を動作させ続けるか、又は、周期的に制御回路を起動する必要がある。そうすると、画像形成装置の消費電力を抑えたい状態であるにも関わらず、制御回路を動作させるための電力が消費される。従って、制御回路を設けて乾燥部への電力供給を制御するようにすることは、省電力の点でも問題がある。
【０００９】
ここで、特許文献１記載の画像形成装置では、基本的に、画像形成可能なモードでは加熱保温手段への電力供給を停止する。そのため、画像形成可能なモードで用紙が多くの水分を吸湿してしまう可能性がある。従って、除湿性能の点で不十分な面がある。又、省エネルギーモード時でも、制御手段は比較手段による比較結果に基づいて加熱保温手段への電力供給を制御する。従って、省エネルギーモード時でも比較手段や制御手段を動作させ続けるので、特許文献１記載の画像形成装置は省電力の点でも問題がある。このように、特許文献１記載の発明では上記の問題を解決することはできない。
【００１０】
本発明は、上記従来技術の問題点に鑑みてなされたものであり、ＣＰＵ等の制御回路やセンサーを用いないようにして製造コストの低減と省電力性能の向上を図りつつ、用紙の水分量（給紙装置内の湿度）を一定以下で保つことを課題とする。
【課題を解決するための手段】
【００１１】
請求項１、２に係る給紙装置は、複数の用紙が載置される用紙載置部と、前記用紙載置部に載置された用紙を１枚ずつ送り出す給紙機構と、電力の供給を受けることにより乾燥を行う乾燥部と、湿度により収縮と膨張の度合いが異なる部材を組み合わせて湿度に応じて形状が変わる湿度変化部と、前記湿度変化部に設けられた第１接点と、湿度が予め定められた湿度を超えると前記第１接点と接するように設けられた第２接点を含み、前記第１接点と前記第２接点が非接触のとき前記乾燥部と電源を接続せず、前記第１接点と前記第２接点が接触しているとき前記乾燥部と電源を接続して乾燥を行わせるスイッチ部と、を含むこととした。
【００１２】
この構成によれば、スイッチ部は湿度により収縮と膨張の度合いが異なる部材を組み合わせて湿度に応じて形状が変わる湿度変化部と、湿度変化部に設けられた第１接点と、湿度が予め定められた湿度を超えると第１接点と接するように設けられた第２接点を含み、第１接点と第２接点が非接触のとき乾燥部と電源を接続せず、第１接点と第２接点が接触しているとき乾燥部と電源を接続して乾燥を行わせる。これにより、給紙装置の湿度が予め定められた湿度を超えると自動的に乾燥部に電力が供給され、乾燥部が給紙装置や用紙の乾燥を行う。又、乾燥部による除湿により用紙が乾燥し、給紙装置の湿度が予め定められた湿度以下になると、自動的に乾燥部への電力供給が停止される。従って、画像形成装置の状態によらず、用紙の水分量（給紙装置内の湿度）を一定で保つことができる。
【００１３】
又、給紙装置内の湿度を一定以下に抑えるために、ＣＰＵやマイコン等の制御回路やセンサーを用いないので、制御回路や湿度センサーを設ける必要が無く、給紙装置の製造コストを低減することができる。又、主電源ＯＦＦ状態や省電力モードなどでも、従来のように制御回路やセンサーを駆動させることによる電力の消費は生じないので、高い省電力効果を得ることができる。
【００１４】
ここで、予め定められた湿度は第１接点と第２接点が接するときの湿度である。例えば、予め定められた湿度は湿度６０〜７０％程度（２０〜３０°Ｃ程度のとき、より詳しくは２５°Ｃ程度のとき）とすることができる。尚、画質、ジャム発生の防止、重送発生の防止等を勘案して、第１接点と第２接点の位置を調整することにより、予め定められた湿度を適宜設定することができる。
【００１５】
又、請求項２に係る発明は、前記予め定められた湿度よりも湿度が高くなるに従い、前記第２接点は前記第１接点が前記第２接点を押す力に応じて基準位置から移動し、前記第２接点を前記基準位置に戻す方向に付勢する付勢部材を含むこととした。
【００１６】
この構成によれば、予め定められた湿度よりも湿度が高くなるに従い、第２接点は第１接点が第２接点を押す力に応じて基準位置から移動し、第２接点を基準位置に戻す方向に付勢する付勢部材を含む。これにより、湿度上昇により第１接点が第２接点を押す力が強くなれば、第２接点が移動する。従って、湿度上昇に伴い、第１接点が第２接点を押す力が強くなっても、第１接点と第２接点が破損することを防ぐことができる。又、湿度低下に伴って、付勢部材により第２接点の位置を基準位置に自動的に戻すことができる。
【００１７】
又、請求項１、３に係る発明は、前記湿度変化部は湿度により収縮と膨張の程度が異なる部材を貼り合わせたものをゼンマイ状に巻いたものであり、前記第１接点は湿度変化に応じて前記湿度変化部の周方向で移動することとした。
【００１８】
この構成によれば、湿度変化部は湿度により収縮と膨張の程度が異なる部材を貼り合わせたものをゼンマイ状に巻いたものであり、第１接点は湿度変化部の一端に設けられ、湿度変化に応じて湿度変化部の周方向で移動する。これにより、スイッチ部を小型化することができる。
【００１９】
又、請求項４に係る発明は、請求項１乃至３の発明において、電源と前記乾燥部間に設けられ、前記乾燥部へ電力供給を停止する状態で保つか否かを切り替えるための操作スイッチを含むこととした。
【００２０】
この構成によれば、電源と乾燥部間に設けられ、乾燥部へ電力供給を停止する状態とするか否かを切り替えるための操作スイッチを含む。給紙装置に用紙を入れない（用紙をセットしない）場合には乾燥部による乾燥は無駄であるところ、操作スイッチにより乾燥部への電力を停止した状態で保つことができる。従って、使用者の意思に応じ、無駄な電力消費を無くすことができる。又、使用者が乾燥部による乾燥を必要でないと判断すれば操作スイッチにより乾燥部への電力を停止した状態で保つことができる。従って、使用者は電力消費を抑えるために、用紙の乾燥機能を自らの意思で停止することができる。
【００２１】
又、請求項５に係る画像形成装置は、請求項１乃至４のいずれか１項に記載の給紙装置を含むこととした。
【００２２】
この構成によれば、画像形成装置は上記の給紙装置を含む。これにより、用紙の水分量が一定以下で保たれ、高画質で、ジャムや重送の発生が抑制された高機能の画像形成装置を提供することができる。又、価格が抑えられ、省電力性能の高い画像形成装置を提供することができる。
【００２３】
又、請求項６に係る発明は、請求項５の発明において、トナー像を形成する画像形成部を含み、前記画像形成部に前記乾燥部と前記スイッチ部が設けられることとした。
【００２４】
この構成によれば、画像形成部に乾燥部と前記スイッチ部が設けられる。これにより、ＣＰＵ等の制御回路やセンサーを設けないようにして製造コストの低減と省電力性能の向上を図りつつ、像担持体などの表面を水滴が付いていない状態（結露の無い状態）で保つことができる。
【００２５】
又、請求項７に係る発明は、請求項５又は６の発明において、原稿を読み取るために光源と、原稿の反射光を導く光学部材と、原稿の反射光が入射されるイメージセンサーを含む画像読取部を有し、前記画像読取部の内部に前記乾燥部と前記スイッチ部が設けられることとした。
【００２６】
この構成によれば、画像読取部の内部に乾燥部とスイッチ部が設けられる。これにより、ＣＰＵ等の制御回路やセンサーを設けないようにして製造コストの低減と省電力性能の向上を図りつつ、画像読取部内のイメージセンサーや光学部材に水滴が付いていない状態（結露の無い状態）で保つことができる。
【発明の効果】
【００２７】
上述したように、本発明によれば、ＣＰＵ等の制御回路やセンサーを設けないようにして、給紙装置や画像形成装置の製造コストの低減を図ることができる。又、給紙装置や画像形成装置の省電力性能を高めることができる。又、用紙の水分量（給紙装置内の湿度）を一定以下で常に保つことができる。
【図面の簡単な説明】
【００２８】
【図１】複合機の模型的正面断面図である。
【図２】複合機のハードウェア構成の一例を示すブロック図である。
【図３】給紙装置の用紙乾燥に関する構成の一例を示す回路図である。
【図４】スイッチ部の一例を示す斜視図である。
【図５】スイッチ部に含まれる湿度変化部に含まれる貼り合せ板の一例を示す説明図である。
【図６】湿度変化にともなう接点の移動の一例を示す説明図である。
【図７】給紙装置以外での乾燥を説明するための説明図である。
【発明を実施するための形態】
【００２９】
以下、図１〜図７を用いて本発明の実施形態に係る給紙装置１を含む複合機１００（画像形成装置に相当）を説明する。但し、各実施の形態に記載されている構成、配置等の各要素は発明の範囲を限定するものではなく単なる説明例にすぎない。
【００３０】
（画像形成装置の概略構成）
まず、図１を用いて、実施形態に係る電子写真方式の複合機１００の説明を行う。図１は複合機１００の模型的正面断面図である。
【００３１】
本実施形態の複合機１００の上部には、画像読取部２と原稿搬送部３が設けられる。また、複合機１００本体内に、給紙装置１、搬送路４、画像形成部５、定着部６等が設けられる。
【００３２】
原稿搬送部３は原稿を１枚ずつ、自動的、連続的に、画像読取部２の読み取り位置（送り読取用コンタクトガラス２１）に向けて搬送する。原稿搬送部３は図１の紙面奥行き方向に支点を有し、紙面上下方向に開閉可能である。原稿搬送部３は原稿の複写時、載置読取用コンタクトガラス２２に載置された原稿を押さえる。
【００３３】
画像読取部２は原稿を読み取り画像データを生成する。画像読取部２の上面には、コンタクトガラス（送り読取用コンタクトガラス２１と載置読取用コンタクトガラス２２の２種）が設けられる。
【００３４】
又、図１に示すように、画像読取部２の筐体内に、原稿に光を照射する光源２３（光学部材に相当）や第１ミラー２４１（光学部材に相当）を含む第１移動枠２５（光学部材に相当）や、第２ミラー２４２（光学部材に相当）や第３ミラー２４３（光学部材に相当）を含む第２移動枠２６（光学部材に相当）や、レンズ２７（光学部材に相当）や原稿の反射光が入射され、１ライン毎に原稿を読み取り、画像データを生成するためのイメージセンサー２８といった光学系部材が設けられる。又、各移動枠を移動させるため、ワイヤー２９ａ、巻取ドラム２９ｂ（不図示の巻取モータにより回転）なども画像読取部２内に設けられる。
【００３５】
光源２３から発せられた光は各コンタクトガラス上の原稿に当たり、反射光を第１ミラー２４１（第１移動枠２５）、第２ミラー２４２（第２移動枠２６）、第３ミラー２４３（第２移動枠２６）といった光学部材で反射させて、レンズ２７に導く。レンズ２７は反射光を集光し、イメージセンサー２８に入射する。
【００３６】
例えば、イメージセンサー２８はライン状に光電変換素子を並べたＣＣＤ（Charge Coupled Device）で構成され、原稿の反射光を元に、主走査方向で１ライン毎に原稿を読み取る。主走査方向（原稿搬送方向と垂直な方向）にライン単位で読取が行われ、ライン単位の読取を副走査方向（原稿搬送方向）に連続して繰り返し行って、１枚の原稿が読み取られる。
【００３７】
第１移動枠２５及び第２移動枠２６には複数本のワイヤー２９ａが取り付けられる（図１では、便宜上１本のみ図示）。ワイヤー２９ａの他端は巻取ドラム２９ｂに接続され、巻取モータ（不図示）を駆動源として、巻取ドラム２９ｂが正逆回転し、第１移動枠２５と第２移動枠２６は水平方向に自在に移動する。
【００３８】
まず、原稿搬送部３により搬送される原稿の読取の場合、巻取モータが駆動した後、第１移動枠２５と第２移動枠２６は送り読取用コンタクトガラス２１の下方位置（読み取り位置）に固定される。そして、通過する原稿に対し、光源２３は光を照射する。一方、載置読取用コンタクトガラス２２上に載置された原稿を読み取る場合、第１移動枠２５及び第２移動枠２６は、巻取ドラム２９ｂやワイヤー２９ａ等により、ホームポジションから図１の右方向に各移動枠を水平に移動し、走査動作を、順次原稿端部まで連続的に行う。
【００３９】
そして、画像読取部２はこれら光学系部材を用い、原稿に光を照射し、原稿の反射光を受けたイメージセンサー２８の各画素の出力値をＡ／Ｄ変換し、画像データを生成する。例えば、複合機１００は読取られた画像データに基づき印刷可能である（コピー機能）。尚、画像読取部２の正面側にコピー等の印刷の設定や、複合機１００の状態を表示する操作パネル１０１を設けることができる（図２参照）。
【００４０】
本実施形態の複合機１００では、画像形成用の用紙を収容、供給する給紙装置１が設けられる。給紙装置１は各種（例えば、普通紙、コピー用紙、再生紙等）、各サイズ（例えば、Ａ４、Ａ３、Ｂ４、Ｂ５、レターサイズ等）の用紙を複数（例えば、５００〜１０００枚程度）積載して収容するカセット１１（用紙載置部に相当）を含む。そして、用紙補給や用紙サイズ変更のためカセット１１を取り外すことができる。
【００４１】
そして、給紙装置１には、用紙を送り出すときに回転する給紙ローラー１２（給紙機構に相当）が設けられる。又、カセット１１内には用紙が載置される用紙載置板１３が設けられる。そして、最上位の用紙は給紙ローラー１２に接触（当接）するように、用紙載置板１３の用紙搬送方向下流側の端部は上方に向けて付勢される。印刷のとき、給紙ローラー１２は回転し、一枚ずつ用紙を送り出す。尚、給紙装置１は上下方向に２つ以上重ねることにより増設できる。
【００４２】
給紙装置１の下面に沿って（上面でもよい）には、ヒーター１４（乾燥部に相当）が設けられる。例えば、ヒーター１４は電熱線を含むシート（電熱シート）である。通電することにより（電力供給により）、ヒーター１４は発熱する。そして、ヒーター１４が発する熱により給紙装置１内が温められ、用紙の湿気（水分）が蒸発し、用紙の乾燥、除湿が行われる。このように、ヒーター１４への電力の供給により、給紙装置１内や用紙を乾燥することができる。尚、本説明では、乾燥部としてヒーター１４を例示するが、乾燥部としては温風などを送風して乾燥を行うものでもよく、電熱線タイプのヒーター１４に限られない。
【００４３】
又、詳細は後述するが、予め定められた湿度を超えるか否かによりヒーター１４のＯＮ／ＯＦＦを行うスイッチ部１５が給紙装置１内に設けられる。スイッチ部１５は湿度センサーとしての機能を有し、給紙装置１内の湿度を一定以下に保つ。
【００４４】
次に、搬送路４を説明する。搬送路４は装置内で用紙を搬送する通路である。そして、搬送路４には、トナー像形成のタイミングを合わせ送り出すレジストローラー対４１が設けられる。又、排出口から排出される用紙を受け止める排出トレイ４２や排出トレイ４２に用紙を送り出す排出ローラー対４３も設けられる。
【００４５】
画像形成部５は画像データに基づき、給紙装置１から給紙された用紙に画像（トナー像）を形成し、搬送される用紙にトナー像を転写する。尚、画像データには、画像読取部２で取得された原稿の画像データや、複合機１００に接続されるコンピュータ−２００（図２参照）からの送信画像データが利用される。そして、画像形成部５は図１中に示す矢印方向に回転駆動可能に支持された感光体ドラム５１やその周囲に配設された帯電装置５２、露光装置５３、現像装置５４、転写ローラー５５、クリーニング装置５６等を備える。
【００４６】
トナー像形成及び転写プロセスを説明する。感光体ドラム５１は所定方向に回転駆動する。そして、感光体ドラム５１の上方の帯電装置５２が所定電位に帯電させる。露光装置５３は画像データに基づき、レーザ光を出力し、帯電装置５２の右側から感光体ドラム５１表面を走査露光して画像データに応じた静電潜像を形成する。
【００４７】
そして、図１において、感光体ドラム５１の右の現像装置５４は感光体ドラム５１に形成された静電潜像にトナーを供給して現像する。感光体ドラム５１の下方の転写ローラー５５は感光体ドラム５１に圧接し、ニップを形成する。そして、レジストローラー対４１がタイミングを図り用紙をニップに進入させる。用紙とトナー像のニップ進入時、転写ローラー５５には所定電圧が印加され、感光体ドラム５１上のトナー像が用紙に転写される。クリーニング装置５６は転写後に感光体ドラム５１に残留するトナー等を除去する。
【００４８】
定着部６は用紙に転写されたトナー像を定着させる。本実施形態の定着部６は発熱体を内蔵する加熱ローラー６１と加圧ローラー６２を含む。加熱ローラー６１と加圧ローラー６２は圧接しニップを形成する。そして、用紙がこのニップを通過すると、トナーが溶融・加熱され、トナー像が用紙に定着する。トナー定着後の用紙は排出トレイ４２に排出される。
【００４９】
（複合機１００のハードウェア構成）
次に、図２に基づき、実施形態に係る複合機１００のハードウェア構成の一例を説明する。図２は複合機１００のハードウェア構成の一例を示すブロック図である。
【００５０】
まず、複合機１００本体内に、複合機１００の動作の制御を司る部分として、主制御部７が設けられる。例えば、主制御部７はＣＰＵ７１のような制御用素子を有する基板である。主制御部７は複合機１００の制御全体を統括する。尚、主制御部７は全体制御を行う部分や、通信制御を行う部分や、画像処理を行う部分や、画像形成や各種回転体を回転させるモータ等のＯＮ／ＯＦＦ等を行い、印刷を制御するエンジン制御部等、機能ごとに分割して複数種設けられてもよい。本説明ではこれらの制御部をまとめた形態を示し、説明する。
【００５１】
主制御部７は記憶部７２を有する。記憶部７２は複合機１００の制御用のプログラムやデータの他、画像データ等を記憶できる。例えば、記憶部７２は、ＲＡＭ、ＲＯＭ、ＨＤＤ、フラッシュＲＯＭ等の揮発性と不揮発性の記憶装置を組み合わせてなる。ＣＰＵ７１は、記憶部７２に記憶されるプログラムやデータに基づき、演算処理の実行や制御信号の発信、受信を行って、複合機１００の制御を行う。
【００５２】
又、主制御部７は原稿搬送部３、画像読取部２、給紙装置１、搬送路４、画像形成部５、定着部６の各部と通信可能に接続され、各部の制御を行う。又、主制御部７は操作パネル１０１と通信可能に接続される。これにより、操作パネル１０１でなされた設定、入力の内容は、主制御部７に伝達される。主制御部７は設定内容に合わせて各部が動作するように、画像形成部５等に指示を与え、複合機１００に含まれる各部を動作させる。
【００５３】
更に、主制御部７はコンピュータ−２００（例えば、パーソナルコンピュータ−）や相手方のＦＡＸ装置３００とネットワークやケーブルや通信網により通信を行うためのインターフェイスである通信部７３と接続される。これにより、複合機１００はコンピュータ−２００から画像データ等を受け取って印刷することや（プリンタ機能）、画像読取部２で読み取られた画像データを記憶部７２に蓄積し、コンピュータ−２００に送信することや（スキャナ機能）、外部のＦＡＸ装置３００と画像データの送受信を行うことができる（ＦＡＸ機能）。
【００５４】
又、複合機１００内には、電源部８が設けられる。例えば、電源部８は、商用電源と接続され、各種電圧を生成する。又、商用電源と電源部８との接続のＯＮ／ＯＦＦを行う主電源投入用のメインスイッチ８１が設けられる。
【００５５】
例えば、電源部８は整流回路や、トランスや、コンバータや、平滑回路等を含む電力変換回路８２を複数有し、複合機１００を動作させる上で必要な複数種の電圧を生成する。例えば、電源部８は、モータ駆動用のＤＣ２４Ｖや、主制御部７などでの回路素子を駆動するためのＤＣ５Ｖや、ＤＣ３．３Ｖ等を生成し、複合機１００内の各部に与える。
【００５６】
尚、本実施形態の複合機１００は、通常モードと、通常モードよりも消費電力を減らす省電力モードを有し、各モードで生成する電圧や、電流量が異なる。そこで、各モードに合わせ、電源部８（電源部８内の各電力変換回路８２）の動作を制御する電力制御部８３が設けられる。予め定められた省電力モード移行条件が満たされると、複合機１００は省電力モードに移行する。例えば、操作パネル１０１での特定の操作や、ジョブ完了や起動完了から複合機１００が利用されないまま省電力モード移行時間の経過が省電力モード移行条件とされる。
【００５７】
又、複合機１００内には、省電力モードから通常モードへ復帰させるか否か（復帰要因が生じたか、例えば、用紙、原稿のセットや、操作パネル１０１の操作など）を監視する監視部８４が設けられる。この監視部８４を設け、省電力モード中、通常モードに復帰すべきか否かを監視部８４により判断することで、省電力モードでは、主制御部７や、画像読取部２や、原稿搬送部３や、画像形成部５や、定着部６への電力供給を停止することができる。一方、省電力モードでも監視部８４には電力が供給され駆動する。監視部８４は、省電力モードから通常モードへの復帰の監視を主として行い、回路規模は、主制御部７よりも少なくてすむので、主制御部７を省電力モードで駆動させるよりも電力消費を減らすことができる。
【００５８】
（給紙装置１での用紙乾燥）
次に、図３を用いて、実施形態に係る給紙装置１での用紙乾燥に関する構成の一例を説明する。図３は給紙装置１の用紙乾燥に関する構成の一例を示す回路図である。
【００５９】
用紙が水分を吸収すると、用紙の抵抗値が低下することがある。そして、用紙の水分量が多いと、用紙に転写されるトナーの量が少なくなる（転写効率が下がる）。そうすると、トナー像の濃度が全体的に低下し、原稿を適切に再現できず、画質が低下することがある。
【００６０】
又、定着部６では用紙が熱せられる。そして、用紙の水分量が多いと、用紙の表面側と裏面側での水分の蒸発量の差が大きくなり、収縮率の差によりカールやしわが生じやすくなる。用紙のカールが強いと、搬送経路で用紙が詰まり安くなる（ジャムが生じやすくなる）。
【００６１】
又、給紙装置１内の湿度が高いと、用紙と用紙の隙間に水分（水蒸気）が入り込み、用紙と用紙が吸着した状態となってしまうことがある。用紙が吸着していると、複数毎の用紙が同時に給紙、搬送される重送が生ずることがある。重送が生ずると、ジャムが生じたり、複数の用紙のそれぞれに１ページの画像の一部分が印刷されるなど、重送に対する後処理が必要となる。特に、表面が光沢にコートされたコート紙は給紙装置１の水分が多くなると重送が生じやすい。
【００６２】
そこで、用紙の乾燥（除湿）を行うために本実施形態の複合機１００の給紙装置１にはヒーター１４が設けられる。そして、給紙装置１では、交流電源ＰＷ（商用電源）から直接的にヒーター１４に電力が供給される。図１に示すように、交流電源ＰＷに対して、ヒーター１４と電源部８が並列に接続される。従って、電源コードやコンセントにより複合機１００が交流電源ＰＷ（商用電源）と接続されている状態であれば、複合機１００の主電源がＯＮされているか否か、通常モードであるか省電力モードであるか否かを問わず、給紙装置１内の湿度が予め定められた湿度を超えるとヒーター１４に電力が供給される。
【００６３】
そして、交流電源ＰＷからヒーター１４の電力供給経路にはスイッチ部１５と操作スイッチ１６が設けられる。スイッチ部１５は給紙装置１内部に設けられる。スイッチ部１５は給紙装置１内の湿度が予め定められた湿度を超えると閉じてヒーター１４に電力を供給し、予め定められた湿度以下となると開いてヒーター１４への電力の供給を停止する（詳細は後述）。
【００６４】
操作スイッチ１６は使用者がヒーター１４への電力供給を行うか否かを操作するためのスイッチである（例えば、ロッカースイッチ）。使用者により操作できるように、例えば、操作スイッチ１６は給紙装置１の正面側の外装部分に露出するように設けられる。そして、操作スイッチ１６は使用者の操作により、閉じた状態又は開いた状態を保つ。
【００６５】
操作スイッチ１６がＯＦＦされていれば（開状態とされていれば）、給紙装置１内の湿度を問わず、ヒーター１４への電力供給は行われない状態で保たれる。一方、操作スイッチ１６がＯＮされていれば（閉状態とされていれば）、給紙装置１内の湿度が予め定められた湿度を超えると、ヒーター１４に電力が供給され、用紙の乾燥がなされる。
【００６６】
例えば、用紙を給紙装置１にセットしない（入れない）場合や、複合機１００の設置環境の湿度が高くなることが少ない等の理由により、用紙乾燥を必要としない場合、使用者は操作スイッチ１６をＯＦＦ状態とすればよい。一方、用紙の乾燥（除湿）が必要と考える場合、使用者は操作スイッチ１６をＯＮ状態とする。
【００６７】
（スイッチ部１５）
次に、図４〜図６を用いて、実施形態に係るスイッチ部１５の構成を説明する。図４はスイッチ部１５の一例を示す斜視図である。図５はスイッチ部１５の湿度変化部１５０に含まれる貼り合せ板の一例を示す説明図である。図６は湿度変化にともなう接点の移動の一例を示す説明図である。
【００６８】
スイッチ部１５は湿度により形状が変化するゼンマイ状の湿度変化部１５０と、湿度変化部１５０に設けられ、湿度変化部１５０の変形に応じ、湿度により移動する第１接点１５１と、給紙装置１内の湿度が予め定められた湿度を超えると第１接点１５１と接するように設けられた第２接点１５２を含む。
【００６９】
まず、図５、図６を用いて湿度変化部１５０を説明する。図５、図６に示すように、湿度変化部１５０は第１板状部材１５０１と第２板状部材１５０２を貼り合わせた（組み合わせた）貼り合わせ板１５０ａをゼンマイ状に巻いたもの（ゼンマイばねとしたもの）である。例えば、第１板状部材１５０１と第２板状部材１５０２は同じサイズの細長い矩形であり、互いの辺が重なるように、第１板状部材１５０１の一面と第２板状部材１５０２の一面が張り合わされ、巻かれる。
【００７０】
そして、第１板状部材１５０１と第２板状部材１５０２は異なる素材であり、湿度により収縮率、膨張率（伸長率）が異なる。例えば、第１板状部材１５０１と第２板状部材１５０２のうち、いずれか一方は吸湿の程度（含有する水分量）により形状が変化する感湿材（感湿紙）であり、例えば、他方は湿度に応じて形状が変化しない金属板（例えば、真鍮の板）である。本説明では第１板状部材１５０１は感湿材であり、第２板状部材１５０２が金属板である。
【００７１】
そして、図６に示すように、スイッチ部１５には、ゼンマイ状に巻かれた第１板状部材１５０１と第２板状部材１５０２の組み合わせが組み込まれる。本実施形態では、含まれる水分量が多いほど膨張する感湿材（第１板状部材１５０１）がゼンマイの外側に配される。そのため、給紙装置１内の水分量（水蒸気量）が多いほど、湿度変化部１５０のゼンマイが巻き込まれる方向に変形する。
【００７２】
ここで、感湿材が含有する水分は相対湿度が高いほど多くなる。例えば、結露が生ずるような温度変化に伴って相対湿度が高くなると、湿度変化部１５０の第１板状部材１５０１の吸湿量（含有する水分量）が多くなる。又、相対湿度が低くなると第１板状部材１５０１の吸湿量も少なくなる。従って、湿度変化部１５０は相対湿度に応じて形状が変化する（温度による変化量の差が生ずることはあり得る）。
【００７３】
そして、図４と図６に示すように、湿度変化部１５０のゼンマイの中心点には軸部材１５３が取り付けられる。軸部材１５３は第１板状部材１５０１の収縮、膨張（湿度変化部１５０の変化）にあわせて軸線方向で回転する。又、軸部材１５３や接点板１５４を回転させるため、湿度変化部１５０のゼンマイの軸部材１５３に取り付けられる端部（中心側端部）と反対側の端部（外側端部）は固定されている。又、軸部材１５３には第１電力線ＰＷ１が取り付けられ、交流電源ＰＷに接続される。又、軸部材１５３にはゼンマイの径方向に伸びる接点板１５４が取り付けられる。そして、湿度変化部１５０のゼンマイの外側方向であって、接点板１５４の端部に第１接点１５１が設けられる。
【００７４】
図４に示すように湿度変化部１５０はゼンマイの端縁を挟むように、２枚の方形板１５５、１５６（絶縁性の板、例えば、樹脂、プラスチック製）に挟まれる。尚、湿度変化部１５０のゼンマイが機内の空気に触れやすくするため、２枚の方形板１５５、１５６の一部は開口してもよい。そして、上方の方形板１５５から軸部材１５３が突出し、突出した軸部材１５３に接点板１５４が取り付けられる。接点板１５４（第１接点１５１）は湿度変化部１５０（貼り合わせ板１５０ａ）と方形板１５５により隔てられ、接点板１５４と湿度変化部１５０は直接接しない。
【００７５】
給紙装置１内の湿度が高くなり、第１板状部材１５０１が含む水分量が増えるに従って、第１板状部材１５０１が膨張（伸長する）。第１板状部材１５０１の膨張により、湿度変化部１５０がゼンマイを巻き込む方向に変形し、軸部材１５３が回転する。図６に示す例では、給紙装置１内の湿度上昇に伴い軸部材１５３、接点板１５４、第１接点１５１はスイッチ部１５を上方からみて、時計方向に回転する。一方、給紙装置１内の湿度が下がり、第１板状部材１５０１が収縮するに伴って、湿度変化部１５０はゼンマイの巻きが弱まる方向に変形する。図６に示す例では、給紙装置１内の湿度下降に従い、軸部材１５３、接点板１５４、第１接点１５１は反時計方向に回転する。
【００７６】
そして、図４や図６に示すように、給紙装置１内の湿度が予め定められた湿度となったとき、第１接点１５１と接するように第２接点１５２が設けられる。第２接点１５２に第２電力線ＰＷ２が取り付けられ、交流電源ＰＷに接続される。そして、第１接点１５１と第２接点１５２が接することにより、ヒーター１４が交流電源ＰＷと接続された状態となる。これにより、操作スイッチ１６がＯＮ状態であれば、ヒーター１４に電力が供給される。
【００７７】
ここで、給紙装置１内の湿度が高くなるほど、湿度変化部１５０のゼンマイの巻き込む力が強くなるので、第１接点１５１が第２接点１５２を押す力が強くなる。そこで、図４や図６に示すように、ゼンマイの周方向に沿って、第２接点１５２の移動をガイドするガイド溝１５７が設けられる。第２接点１５２は第１接点１５１が押す力に応じ、ガイド溝１５７上を移動する。ここで、予め定められた湿度のときに第１接点１５１と第２接点１５２が接する位置が第２接点１５２の基準位置ＢＰとされる。そして、予め定められた湿度から給紙装置１内の湿度が高くなるに従って、第１接点１５１が移動する方向に沿って第２接点１５２が基準位置ＢＰから移動する。
【００７８】
尚、第２接点１５２はガイド溝１５７に沿って移動した後、基準位置ＢＰに戻る方向に付勢される。例えば、第２接点１５２を基準位置ＢＰ方向に向けて付勢するバネ１５８（付勢部材に相当）が設けられる。
【００７９】
ここで、予め定められた湿度（第１接点１５１と第２接点１５２が接するときの湿度）は適宜設定可能である。例えば、第２接点１５２の基準位置ＢＰを調整することにより、ヒーター１４による乾燥を開始する湿度を調整することができる。本実施形態の給紙装置１では、温度が２０〜２５°Ｃのときの湿度６５％程度が予め定められた湿度とされる。尚、収容する用紙や画像形成装置の特性にあわせて、予め定められた湿度を設定すればよい。
【００８０】
図４に示すように、予め定められた湿度以下の湿度のときの接点板１５４の位置と、予め定められた湿度のときの接点板１５４の位置（第１接点１５１と第２接点１５２が接している位置）の間の上方の方形板１５５の面上に突起１５９（ストッパ）を設けることができる。突起１５９を設ければ、突起１５９は給紙装置１内の湿度が予め定められた湿度あたりにあるときに、断続的に（間欠的に）ヒーター１４への電力供給のＯＮとＯＦＦが切り替えられることを防ぐことができる。
【００８１】
そして、突起１５９は接点板１５４の移動経路に設けられる。言い換えると、接点板１５４が移動すると突起１５９に接する。又、突起１５９を乗り越えるほど第２接点１５２に近づく方向への第１接点１５１（接点板１５４）の力が強くなると（給紙装置１内の湿度が高くなると）、接点板１５４が突起１５９を乗り越えるような位置に突起１５９を設けることができる。又、第１接点１５１と第２接点１５２が接した後、突起１５９は第１接点１５１（接点板１５４）の裏側を押し返すように接し、第１接点１５１と第２接点１５２が接する状態で維持させ、突起１５９を乗り越えるほど第２接点１５２から離れる方向への第１接点１５１（接点板１５４）の力が強くなると（給紙装置１内の湿度が低くなると）、接点板１５４が突起１５９を乗り越えて、第１接点１５１と第２接点１５２が離れるような位置に突起１５９を設けることができる。突起１５９を設けることにより、予め定められた湿度を範囲として設定することができる。
【００８２】
このように、予め定められた湿度を超えるか否かによって、主制御部７などの制御回路を用いること無く、ヒーター１４への電力供給を自動的にＯＮ／ＯＦＦすることができる。従って、複合機１００の主電源が入れられているか否か、複合機１００が省電力モードにあるか否かを問わず、給紙装置１内の湿度を一定以下で保つことができる。しかも、従来のように、ＣＰＵやマイコン等の制御回路によりヒーター１４への電力供給を行わないので、複合機１００の主電源が入れられていないときや、省電力モードにあるときに一時的にＣＰＵやマイコン等の制御回路に電力供給を行って、ヒーター１４への電力を供給するか停止するかを制御回路に判断、制御させる必要はない。
【００８３】
（給紙装置１以外での乾燥）
次に、図７を用いて、ヒーター１４やスイッチ部１５を給紙装置１以外に設ける例を説明する。図７は給紙装置１以外での乾燥を説明するための説明図である。
【００８４】
冷え込んだ冬期の早朝など温度が下がったとき、例えば、画像形成部５の感光体ドラム５１などの回転体の表面で結露が生ずることがある。結露が生じた状態で画像形成を行うと、水分による感光体ドラム５１の表面の抵抗値の低下や、水滴により現像が妨げられるなど、形成されるトナー像の画質が低下することがある。
【００８５】
そこで、画像形成部５での各回転体（感光体ドラム５１）の表面に付着した水滴、水分を飛ばすため、給紙装置１に設けたものと同様のヒーター５７やスイッチ部５８を画像形成部５に設けることができる。
【００８６】
例えば、画像形成部５に設けられるヒーター５７のタイプや設置位置に特に制限はない。例えば、ヒーター５７は電熱線を含む電熱シートである。そして、乾燥（除湿）する対象（例えば、感光体ドラム５１）の内部に納められる。
【００８７】
そして、本実施形態の複合機１００の画像形成部５に設けられたヒーター５７には、交流電源ＰＷ（商用電源）から直接的に電力が供給される。図７に示すように、交流電源ＰＷに対し、ヒーター５７と電源部８や給紙装置１のヒーター１４が並列に接続される。従って、電源コードやコンセントにより複合機１００が交流電源ＰＷ（商用電源）と接続されている状態であれば、複合機１００の主電源がＯＮされているか否か、通常モードであるか省電力モードであるか否かを問わず、画像形成部５の湿度が予め定められた湿度を超えるとヒーター５７に電力が供給される。
【００８８】
そして、画像形成部５に設けられたヒーター５７に対しても、給紙装置１に設けられるものと同様のスイッチ部５８と操作スイッチ５９が設けられる。例えば、スイッチ部５８は画像形成部５に設けられる。スイッチ部５８は画像形成部５の湿度が予め定められた湿度を超えると閉じてヒーター５７に電力を供給し、予め定められた湿度以下となると開いてヒーター５７への電力の供給を停止する。このスイッチ部５８は給紙装置１に設けられたものと同様に、湿度変化部１５０、第１接点１５１、第２接点１５２等を含む。尚、スイッチ部５８の詳細は給紙装置１のスイッチ部１５１で説明した内容を適用できるので、援用するものとして省略する。
【００８９】
そして、給紙装置１と同様に、ヒーター５７への電力供給を行うか否かを操作するため、操作スイッチ５９を設けることができる。使用者により操作できるように、例えば、複合機１００の側面などに設けられる。そして、操作スイッチ５９は使用者の操作により、閉じた状態又は開いた状態を保つ。
【００９０】
例えば、画像形成部５の感光体ドラム５１の乾燥（除湿）を不要と考える使用者は操作スイッチ５９をＯＦＦ状態とすればよい。一方、感光体ドラム５１の乾燥が必要と考える場合、使用者は操作スイッチ５９をＯＮ状態とする。
【００９１】
又、冷え込んだ冬期の早朝など温度が下がったとき、例えば、画像読取部２内の光源２３や各ミラーやレンズ２７やイメージセンサー２８の表面で結露が生ずることがある。結露が生じた状態で原稿の読み取りを行うと、水分による光の乱反射などにより、原稿を適切に読み取ることができない場合がある。
【００９２】
そこで、画像読取部２内の各部材の表面に付着した水滴、水分を飛ばすため、給紙装置１や画像形成部５に設けたものと同様のヒーター２１０やスイッチ部２１１を画像読取部２内に設けることができる。
【００９３】
そして、画像読取部２に設けられるヒーター２１０のタイプに制限はない。例えば、ヒーター２１０は電熱線を含む電熱シートである。そして、ヒーター２１０は画像読取部２内部に設けられる。
【００９４】
図７に示すように、画像読取部２に設けられたヒーター２１０には、交流電源ＰＷ（商用電源）から直接的に電力が供給される。交流電源ＰＷに対し、ヒーター２１０と電源部８や給紙装置１のヒーター１４や画像形成部５のヒーター５７が並列に接続される。従って、電源コードやコンセントにより複合機１００が交流電源ＰＷ（商用電源）と接続されている状態であれば、複合機１００の主電源がＯＮされているか否か、通常モードであるか省電力モードであるか否かを問わず、画像形成部５の湿度が予め定められた湿度を超えるとヒーター２１０に電力が供給される。
【００９５】
そして、画像読取部２に設けられたヒーター２１０に対しても、給紙装置１や画像形成部５に設けられるものと同様のスイッチ部２１１と操作スイッチ２１２が設けられる。例えば、スイッチ部２１１は画像読取部２の内部に設けられる。スイッチ部２１１は画像読取部２内の湿度が予め定められた湿度を超えると閉じてヒーター２１０に電力を供給し、予め定められた湿度以下となると開いてヒーター２１０への電力の供給を停止する。このスイッチ部２１１は給紙装置１や画像形成部５に設けられたものと同様に、湿度変化部１５０、第１接点１５１、第２接点１５２等を含む。尚、スイッチ部２１１の詳細は給紙装置１のスイッチ部１５１で説明した内容を適用できるので、援用するものとして省略する。
【００９６】
給紙装置１や画像形成部５と同様に、ヒーター２１０への電力供給を行うか否かを操作するため、操作スイッチ２１２を設けることができる。使用者により操作できるように、例えば、操作スイッチ２１２は複合機１００の画像読取部２部分の側面などに設けられる。そして、操作スイッチ２１２は使用者の操作により、閉じた状態又は開いた状態を保つ。
【００９７】
例えば、画像読取部２の内部の乾燥（除湿）を不要と考える使用者は操作スイッチ２１２をＯＦＦ状態とすればよい。一方、画像読取部２の内部の乾燥が必要と考える場合、使用者は操作スイッチ２１２をＯＮ状態とする。
【００９８】
このようにして、実施形態に係る給紙装置１は  複数の用紙が載置される用紙載置部（カセット１１）と、用紙載置部に載置された用紙を１枚ずつ送り出す給紙機構（給紙ローラー１２）と、電力の供給を受けることにより乾燥を行う乾燥部（ヒーター１４）と、湿度により収縮と膨張の度合いが異なる部材を組み合わせて湿度に応じて形状が変わる湿度変化部１５０と、湿度変化部１５０に設けられた第１接点１５１と、湿度が予め定められた湿度を超えると第１接点１５１と接するように設けられた第２接点１５２を含み、第１接点１５１と第２接点１５２が非接触のとき乾燥部と電源を接続せず、第１接点１５１と第２接点１５２が接触しているとき乾燥部と電源を接続して乾燥を行わせるスイッチ部１５と、を含む。
【００９９】
これにより、給紙装置１の湿度が予め定められた湿度を超えると自動的に乾燥部（ヒーター１４）に電力が供給され、乾燥部が給紙装置１や用紙の乾燥を行う。又、乾燥部による除湿により用紙が乾燥し、給紙装置１の湿度が予め定められた湿度以下になると、自動的に乾燥部への電力供給が停止される。従って、画像形成装置（例えば、複合機１００）の状態によらず、用紙の水分量（給紙装置１内の湿度）を一定で保つことができる。又、給紙装置１内の湿度を一定以下に抑えるために、ＣＰＵやマイコン等の制御回路やセンサーを用いないので、制御回路や制御回路を設ける必要が無く、給紙装置１の製造コストを低減することができる。又、主電源ＯＦＦ状態や省電力モードなどでも、従来のように制御回路やセンサーを駆動させることによる電力の消費は生じないので、高い省電力効果を得ることができる。
【０１００】
又、予め定められた湿度よりも湿度が高くなるに従い、第２接点１５２は第１接点１５１が第２接点１５２を押す力に応じて基準位置ＢＰから移動し、第２接点１５２を基準位置ＢＰに戻す方向に付勢する付勢部材（バネ１５８）を含む。これにより、湿度上昇により第１接点１５１が第２接点１５２を押す力が強くなれば、第２接点１５２が移動する。従って、湿度上昇に伴い、第１接点１５１が第２接点１５２を押す力が強くなっても、第１接点１５１と第２接点１５２が破損することを防ぐことができる。又、湿度低下に伴って、付勢部材により第２接点１５２の位置を基準位置ＢＰに自動的に戻すことができる。
【０１０１】
又、湿度変化部１５０は湿度により収縮と膨張の程度が異なる部材を貼り合わせたものをゼンマイ状に巻いたものであり、第１接点１５１は湿度変化に応じて湿度変化部１５０の周方向で移動する。これにより、スイッチ部１５を小型化することができる。
【０１０２】
又、給紙装置１は電源と乾燥部（ヒーター１４）間に設けられ、乾燥部へ電力供給を停止する状態で保つか否かを切り替えるための操作スイッチ１６を含む。給紙装置１に用紙を入れない（用紙をセットしない）場合には乾燥部による乾燥は無駄であるところ、操作スイッチ１６により乾燥部への電力を停止した状態で保つことができる。従って、使用者の意思に応じ、無駄な電力消費を無くすことができる。又、使用者が乾燥部による乾燥を必要でないと判断すれば操作スイッチ１６により乾燥部への電力を停止した状態で保つことができる。従って、使用者は電力消費を抑えるために、用紙の乾燥機能を自らの意思で停止することができる。
【０１０３】
又、画像形成装置（例えば、複合機１００）は実施形態に係る給紙装置１を含む。これにより、用紙の水分量が一定以下で保たれ、高画質で、ジャムや重送の発生が抑制された高機能の画像形成装置を提供することができる。又、価格が抑えられ、省電力性能の高い画像形成装置を提供することができる。
【０１０４】
又、画像形成装置（例えば、複合機１００）はトナー像を形成する画像形成部５を含み、画像形成部５に乾燥部（ヒーター１４）とスイッチ部１５が設けられる。これにより、ＣＰＵ等の制御回路やセンサーを設けないようにして製造コストの低減と省電力性能の向上を図りつつ、像担持体などの表面を水滴が付いていない状態（結露の無い状態）で保つことができる。
【０１０５】
又、画像形成装置（例えば、複合機１００）は、原稿を読み取るために光源２３と、原稿の反射光を導く光学部材と、原稿の反射光が入射されるイメージセンサー２８を含む画像読取部２を有し、画像読取部２の内部に乾燥部（ヒーター１４）とスイッチ部１５が設けられる。これにより、ＣＰＵ等の制御回路やセンサーを設けないようにして製造コストの低減と省電力性能の向上を図りつつ、画像読取部２内のイメージセンサー２８や光学部材に水滴が付いていない状態（結露の無い状態）で保つことができる。
【０１０６】
以上、本発明の実施形態につき説明したが、本発明の範囲はこれに限定されるものではなく、発明の主旨を逸脱しない範囲で種々の変更を加えて実施することができる。
【産業上の利用可能性】
【０１０７】
本発明は、ヒーターを有する給紙装置や画像形成装置に利用可能である。
【符号の説明】
【０１０８】
１      給紙装置                      １１    カセット（用紙載置部）
１２    給紙ローラー（給紙機構）      １４    ヒーター（乾燥部）
１５    スイッチ部                    １５０  湿度変化部
１５１  第１接点                      １５２  第２接点
１５８  バネ（付勢部材）              １６    操作スイッチ
１００  複合機（画像形成装置）        ２      画像読取部
２３    光源                          ２４１  第１ミラー（光学部材）
２４２  第２ミラー（光学部材）        ２４３  第３ミラー（光学部材）
２５    第１移動枠（光学部材）        ２６    第２移動枠（光学部材）
２７    レンズ（光学部材）            ２８    イメージセンサー
２１０  ヒーター                      ２１１  スイッチ部
２１２  操作スイッチ                  ５      画像形成部
５７    ヒーター                      ５８    スイッチ部
５９    操作スイッチ                  ＢＰ    基準位置
【図１】
0005740337.tif 000002
【図２】
0005740337.tif 000003
【図３】
0005740337.tif 000004
【図４】
0005740337.tif 000005
【図５】
0005740337.tif 000006
【図６】
0005740337.tif 000007
【図７】
0005740337.tif 000008